(57)【特許請求の範囲】
【請求項１】
ガイド部材に案内されて、カッター刃を前後に移動させるスライダー部材を有するカッターナイフにおいて、
前記スライダー部材は、前記カッター刃を取り付けるためのカッター刃係合突起を有するスライダー本体部材と、前記ガイド部材の上面の内側に向かい合う側縁の一方にその前後方向に形成された多数の凹部よりなる係止部に係合するスライダースプリングと、前記スライダー本体部材を覆うように設けられた操作部材よりなり、
前記スライダースプリングは、板ばねとして形成され、中央部に円弧状の部分をもつ突出部を有し、該突出部から肩部を介して斜めに広がる脚部をもつ形状であって、前記突出部が前記係止部に係止可能であり、
前記スライダー本体部材は、板金で作製され、前方は舌状に延びるとともに、その下方に前記カッター刃係合突起が形成されており、その両側部は立ち上げられているとともに、前後の２箇所に係合孔が形成されており、前記両側部の一方の側部の前後の係合孔の間に前記スライダースプリングの前記突出部が突出し、前記スライダースプリングの前記肩部と前記脚部が前記両側部の間に位置し、
前記操作部材には、前記係合孔に係合する係合爪が形成され、前記係合孔の前後方向の長さは前記スライダー本体部材と前記操作部材との相対的移動が可能なように前記係合爪の幅より大きく形成されているとともに、前記スライダースプリングの前記突出部に係合する谷形状の凹部をなすカム面が形成されており、
前記スライダー本体部材と前記操作部材とは、前記係合孔と前記係合爪とにより係合され、
前記カム面は、前記スライダー本体部材に対して前記操作部材が移動されていない状態では、前記スライダースプリングのばね力により、前記スライダースプリングの前記突出部が前記カム面のもっとも深い位置となり、前記スライダースプリングの前記突出部が前記係止部に係止され、かつ、この状態では、前記係合爪は前記係合孔のほぼ中央に位置され、前記スライダー本体部材に対して前記操作部材が前方または後方へ移動された場合に、前記スライダースプリングの前記突出部を前記ばね力に抗して後退させるように形成されていることを特徴とするカッターナイフ。
【請求項２】
ガイド部材に案内されて、カッター刃を前後に移動させるスライダー部材を有するカッターナイフにおいて、
前記スライダー部材は、前記カッター刃を取り付けるためのカッター刃係合突起を有するスライダー本体部材と、前記ガイド部材の上面の内側に向かい合う側縁の一方にその前後方向に形成された多数の凹部よりなる係止部に係合するスライダースプリングと、前記スライダー本体部材を覆うように設けられた操作部材よりなり、
前記スライダースプリングは、板ばねとして形成され、中央部に円弧状の部分をもつ突出部を有し、該突出部から肩部を介して斜めに広がる脚部をもつ形状であって、前記突出部が前記係止部に係止可能であり、
前記スライダー本体部材は、板金で作製され、前方は舌状に延びるとともに、その下方に前記カッター刃係合突起が形成されており、その両側部は立ち上げられているとともに、前後の２箇所に係合爪が形成されており、前記両側部の一方の側部の前後の係合爪の間に前記スライダースプリングの前記突出部が突出し、前記スライダースプリングの前記肩部と前記脚部が前記両側部の間に位置し、
前記操作部材には、前記係合爪に係合する係合孔が形成され、前記係合爪の幅は前記スライダー本体部材と前記操作部材との相対的移動が可能なように前記係合孔の前後方向の長さより小さく形成されているとともに、前記スライダースプリングの前記突出部に係合する谷形状の凹部をなすカム面が形成されており、
前記スライダー本体部材と前記操作部材とは、前記係合爪と前記係合孔とにより係合され、
前記カム面は、前記スライダー本体部材に対して前記操作部材が移動されていない状態では、前記スライダースプリングのばね力により、前記スライダースプリングの前記突出部が前記カム面のもっとも深い位置となり、前記スライダースプリングの前記突出部が前記係止部に係止され、かつ、この状態では、前記係合爪は前記係合孔のほぼ中央に位置され、前記スライダー本体部材に対して前記操作部材が前方または後方へ移動された場合に、前記スライダースプリングの前記突出部を前記ばね力に抗して後退させるように形成されていることを特徴とするカッターナイフ。
【発明の詳細な説明】
【０００１】
【発明の属する技術分野】
本発明は、ステップ的にカッター刃の位置規制がされるカッターナイフ、特に、カッター刃の規制位置において、スライダー部材の操作部材から指を離せば、カッター刃を係止できるカッターナイフに関するものである。
【０００２】
【従来の技術】
スライダー部材の操作部材から指を離せば、カッター刃を係止できるカッターナイフは、カッター刃の出入が確実であり、また、使用時にカッター刃を簡単にロックできるので、使いやすいという利点がある。例えば、実公平３−３７５７５号公報に記載されたカッターナイフでは、スライダー本体部材に、復元ばねで付勢された摺動ノブを設け、付勢ばねで付勢されたラッチをホルダーの係合凹部に係合させ、摺動ノブを進退させて、そのＶ字形溝でラッチを移動させて、係合を解除させるようにした構造を用いている。このカッターナイフでは、スライダー部材は、スライダー本体部材と、摺動ノブと、２つのばね部材の４点の部品を用いており、製造コストのアップのみでなく、組立の手間もかかるという問題がある。実公平２−２０９９１号公報や特公平７−８５７５２号公報に記載されたカッターナイフのスライダー部材は、スライダー本体部材と摺動部材と金属線または金属板で作られたばねの３点で構成されているが、組立の手間がかかるという問題がある。
【０００３】
【発明が解決しようとする課題】
本発明は、上述した事情に問題点を解決するためになされたもので、部品点数が少なく、組立が容易で、カッター刃の規制位置において、スライダー部材の操作部材から指を離せば、カッター刃を係止できるスライダー部材を有するカッターナイフを提供することを目的とするものである。
【０００４】
【課題を解決するための手段】
請求項１に記載の発明は、ガイド部材に案内されて、カッター刃を前後に移動させるスライダー部材を有するカッターナイフにおいて、前記スライダー部材は、前記カッター刃を取り付けるためのカッター刃係合突起を有するスライダー本体部材と、前記ガイド部材の上面の内側に向かい合う側縁の一方にその前後方向に形成された多数の凹部よりなる係止部に係合するスライダースプリングと、前記スライダー本体部材を覆うように設けられた操作部材よりなり、前記スライダースプリングは、板ばねとして形成され、中央部に円弧状の部分をもつ突出部を有し、該突出部から肩部を介して斜めに広がる脚部をもつ形状であって、前記突出部が前記係止部に係止可能であり、前記スライダー本体部材は、板金で作製され、前方は舌状に延びるとともに、その下方に前記カッター刃係合突起が形成されており、その両側部は立ち上げられているとともに、前後の２箇所に係合孔が形成されており、前記両側部の一方の側部の前後の係合孔の間に前記スライダースプリングの前記突出部が突出し、前記スライダースプリングの前記肩部と前記脚部が前記両側部の間に位置し、前記操作部材には、前記係合孔に係合する係合爪が形成され、前記係合孔の前後方向の長さは前記スライダー本体部材と前記操作部材との相対的移動が可能なように前記係合爪の幅より大きく形成されているとともに、前記スライダースプリングの前記突出部に係合する谷形状の凹部をなすカム面が形成されており、前記スライダー本体部材と前記操作部材とは、前記係合孔と前記係合爪とにより係合され、前記カム面は、前記スライダー本体部材に対して前記操作部材が移動されていない状態では、前記スライダースプリングのばね力により、前記スライダースプリングの前記突出部が前記カム面のもっとも深い位置となり、前記スライダースプリングの前記突出部が前記係止部に係止され、かつ、この状態では、前記係合爪は前記係合孔のほぼ中央に位置され、前記スライダー本体部材に対して前記操作部材が前方または後方へ移動された場合に、前記スライダースプリングの前記突出部を前記ばね力に抗して後退させるように形成されていることを特徴とするものである。
【０００５】
請求項２に記載の発明は、ガイド部材に案内されて、カッター刃を前後に移動させるスライダー部材を有するカッターナイフにおいて、前記スライダー部材は、前記カッター刃を取り付けるためのカッター刃係合突起を有するスライダー本体部材と、前記ガイド部材の上面の内側に向かい合う側縁の一方にその前後方向に形成された多数の凹部よりなる係止部に係合するスライダースプリングと、前記スライダー本体部材を覆うように設けられた操作部材よりなり、前記スライダースプリングは、板ばねとして形成され、中央部に円弧状の部分をもつ突出部を有し、該突出部から肩部を介して斜めに広がる脚部をもつ形状であって、前記突出部が前記係止部に係止可能であり、前記スライダー本体部材は、板金で作製され、前方は舌状に延びるとともに、その下方に前記カッター刃係合突起が形成されており、その両側部は立ち上げられているとともに、前後の２箇所に係合爪が形成されており、前記両側部の一方の側部の前後の係合爪の間に前記スライダースプリングの前記突出部が突出し、前記スライダースプリングの前記肩部と前記脚部が前記両側部の間に位置し、前記操作部材には、前記係合爪に係合する係合孔が形成され、前記係合爪の幅は前記スライダー本体部材と前記操作部材との相対的移動が可能なように前記係合孔の前後方向の長さより小さく形成されているとともに、前記スライダースプリングの前記突出部に係合する谷形状の凹部をなすカム面が形成されており、前記スライダー本体部材と前記操作部材とは、前記係合爪と前記係合孔とにより係合され、前記カム面は、前記スライダー本体部材に対して前記操作部材が移動されていない状態では、前記スライダースプリングのばね力により、前記スライダースプリングの前記突出部が前記カム面のもっとも深い位置となり、前記スライダースプリングの前記突出部が前記係止部に係止され、かつ、この状態では、前記係合爪は前記係合孔のほぼ中央に位置され、前記スライダー本体部材に対して前記操作部材が前方または後方へ移動された場合に、前記スライダースプリングの前記突出部を前記ばね力に抗して後退させるように形成されていることを特徴とするものである。
【０００６】
【発明の実施の形態】
図１〜図７は、本発明のカッターナイフの第１の実施の形態を説明するためのもので、図１は全体構成を示す斜視図、図２はカートリッジを引き出してカッター刃を収容する状態の斜視図、図３はカートリッジとスライダー部材の分解斜視図、図４はカッター本体部の分解斜視図、図５は各部を裏側からみた斜視図で、図５（Ａ）はガイド部材とカートリッジを分離した状態の斜視図、図５（Ｂ）はガイド部材にカートリッジを挿入してカートリッジを引き出した状態の斜視図、図５（Ｃ）はガイド部材にカートリッジを挿入した状態の斜視図、図６はカートリッジの背面図と断面図である。図中、１はボディ部材、１ａは刃上げスプリング固定溝、１ｂはビス孔、１ｃは凸部、２はガイド部材、２ａは係止部、２ｂはカートリッジ係合孔、２ｃ，２ｄはカッター刃規制部、２ｅはスプリング孔、２ｆはビス孔、２ｇは止め具、２ｈは窓孔、３はカートリッジ、３ａは把持部、３ｂはフック部、３ｃは凹部、３ｄは窓孔、３ｅはスプリング孔、３ｆはスライド溝、３ｇはスライド溝先端部、４はスライダー部材、５はカッター刃、５ａはスライダー係合孔、６は可動台、６ａは係合突起、７は刃上げスプリング、８はスライダー本体部材、８ａはカッター刃係合突起、９は操作部材、１０はスライダースプリング、１１はビスである。
【０００７】
図１により概要を説明する。ボディ部材１の外形は、図ではほぼ角柱状であるが、カッターの使用にあたって、把持する部分であり、適宜の形状、例えば、握りやすい形状など、使いやすさとデザイン等を考慮して適宜の形状に設計されるのがよく、合成樹脂で作成されるのがよい。ガイド部材２は、カートリッジ３を収納するとともに、カッター刃をガイドするものであり、金属板を折り曲げて形成されるが、合成樹脂で作成されてもよい。スライダー部材４は、カッター刃５の出し入れをするためのものであり、図では基本的な構成を示しており、操作しやすいノブ状の形状など、操作しやすい形状とするのがよい。
【０００８】
カートリッジ３は、ガイド部材２に内挿され、引き出し可能に構成されている。図２はカートリッジ３を引き出した状態であり、この状態で把持部３ａを押してガイド部材２に押し込むと図１の状態となる。押し込んだとき、フック部３ｂの突出部がガイド部材２のカートリッジ係合孔２ｂ（図４）に係合して、カートリッジ３をガイド部材２から抜けにくくしている。把持部３ａに力を加えて引き出せば、カートリッジ３をガイド部材２から引き出すことができる。カートリッジ３を引き出した図２の状態では、カッター刃５を収納できる。カートリッジ３にカッター刃５の複数枚を収容できる凹部３ｃ（図３）が形成されており、凹部３ｃにはカッター刃５を載置できる可動台６が上下動可能にカートリッジ３に取り付けられられている。可動台６は、カートリッジ３がガイド部材２に押し込まれた状態、つまり、使用状態において、刃上げスプリング７で上方に付勢される。ガイド部材２の上面の内側に向かい合う側縁の一方には多数の凹部よりなる係止部２ａが形成されており、スライダー部材４のスライダースプリング１０の先端を係止させて、カッター刃の位置規制を行なう。
【０００９】
図３は、カートリッジ３とスライダー部材４の分解図である。図３は、カートリッジ３の凹部３ｃと可動台６との関係がよく分かる図である。すなわち、凹部３ｃの側縁に窓孔３ｄが４箇所に設けられている。一方、可動台６の側縁に係合突起６ａが突出されている。凹部３ｃの上方から、可動台６を押し込むようにして、可動台６を凹部３ｃに取り付ける。カートリッジ３および可動台６の一方または双方の材料として合成樹脂、例えば、ポリエチレンを用い、弾性変形を利用して、可動台６を凹部３ｃに押し込むことができる。凹部３ｃの底部に設けられたスプリング孔３ｅは、刃上げスプリングを通すためのスリット状の孔である。
【００１０】
スライダー部材４は、スライダー本体部材８に操作部材９が前後方向に移動可能に取り付けられ、その間にスライダースプリング１０が設けられており、ガイド部材２の上面の内側に向かい合った側縁をガイドとして前後に移動可能である。スライダー本体部材８の前方に延びる舌状の部分には、下方に突出するカッター刃係合突起８ａが形成されており、カッター刃５のスライダー係合孔５ａに係合して、スライダー部材４の前後方向の移動により、カッター刃５を出し入れする。操作部材９の内側には４個の係合爪が形成されており、この係合爪がスライダー本体部材８の両側部に形成された４個の係合孔に係合して、スライダー本体部材８に操作部材９が取り付けられる。係合孔を前後方向に長く形成して、スライダー本体部材８に対して、操作部材９の前後方向の移動が可能となっており、操作部材９には、カム部分が形成されており、スライダー本体部材８に対して前方または後方への移動により、スライダースプリング１０を後退させて、ガイド部材２の係止部２ａへの係止を解除させてスライダー部材をガイド部材に対して移動させることができる。
【００１１】
図４は、カッター本体部の分解図である。カッター本体部は、ボディ部材１とガイド部材２が主要な構成部品である。ボディ部材１の内面底部には、刃上げスプリング固定溝１ａとビス孔１ｂが設けられている。ガイド部材２には、上述した係止部２ａとカートリッジ係合孔２ｂが設けられているほかに、カッター刃規制部２ｃ，２ｄが形成されている。カッター刃規制部２ｃ，２ｄは、下方に膨出させた部分であり、カッター刃が通る隙間を規制して、カッター刃を押さえ込むようにしてがたつきを抑えるためのものである。
【００１２】
ボディ部材１に刃上げスプリング７を載置し、上からガイド部材２を載せ、ビス孔２ｆ（図５）とビス孔１ｂを一致させた状態でビス１１によりガイド部材２をボディ部材１に固定してカッター本体部を組み立てることができる。
カッター本体部にカートリッジ３を取り付ける方法について説明する。この実施例では、カートリッジ３をガイド部材２に取り付けた後、図４で説明したように、ビス１１でガイド部材２をボディ部材１に取り付けるようにした。
【００１３】
図５は、カートリッジ３をガイド部材２に取り付ける方法の説明図である。図は、裏側からみた斜視図である。ガイド部材２の後端部近傍に、止め具２ｇが設けられて、スライド溝３ｆとによりストッパー機構が構成されている。止め具２ｇは、ガイド部材２の底面の一部を切り欠いて、内側に曲げて、ストッパーとなるようにしたものである。一方、カートリッジ３の底面には、止め具２ｇにスライドするスライド溝３ｆが形成されている。スライド溝３ｆは、カートリッジ３の先端部の手前のスライド溝先端部３ｇまで形成されている。
【００１４】
図５（Ａ）に示す状態で、ガイド部材２の後端側からカートリッジ３の先端部を押し込む、このとき、カートリッジ３の前端のスライド溝が形成されていない部分は、止め具２ｇをその弾性に抗して押し上げて通過し、カートリッジ３をガイド部材２に取り付けることができる。図５（Ｃ）は、カートリッジ３をガイド部材２にセットした状態である。カートリッジ３をガイド部材２に対して引き出すと、図５（Ｂ）に示すように、止め具２ｇが、カートリッジ３のスライド溝３ｆのスライド溝先端部３ｇに係合して、それ以上カートリッジ３を引き出すことはできない。図５（Ｂ）の状態を見た図が図２であり、この状態で、カッター刃をカートリッジ３に収容することができる。
【００１５】
スライダー部材について説明する。スライダ部材は、図３で説明したように、スライダー本体部材８、操作部材９、スライダースプリング１０から構成されている。
【００１６】
図６は、スライダー部材を説明するためのもので、図６（Ａ）はスライダー部材の斜視図、図６（Ｂ）は、図６（Ａ）のＡ−Ａ線およびＢ−Ｂ線の断面図、図６（Ｃ）はスライダースプリングを取り付けたスライダー本体部材の斜視図、図６（Ｄ）は操作部材を底面側からみた斜視図である。図中、８はスライダー本体部材、８ａはカッター刃係合突起、８ｂは係合孔、９は操作部材、９ａは係合爪、９ｂはカム面、９ｃは凹部、１０はスライダースプリング、１０ａは突出部、１０ｂは脚部である。
【００１７】
図６（Ｃ）に示すように、スライダー本体部材８は、前方は舌状に延びて、下方に突出するカッター刃係合突起８ａが形成されている。また、両側部は立ち上げられており、それぞれ前後の２箇所に係合孔８ｂが形成されている。カッター刃係合突起８ａは、カッター刃に係合して、カッター刃を移動させるためのものである。係合孔８ｂは、後述するように、操作部材９の係合爪に係合するために設けられたものである。この実施の形態では、スライダー本体部材８は板金で作製されたものである。また、係合孔８ｂは、貫通孔とせずに、底部のある孔でもよい。スライダー本体部材８は、この実施の形態では、前後の部分が左右に張り出しており、図６（Ｂ）に示すように、この張り出した部分と操作部材９の下面との間に隙間が形成され、この隙間がガイド部材の上面の内側に向かい合う側縁に係合して、スライダー部材がガイド部材にガイドされる。
【００１９】
図６（Ｃ）に示すスライダースプリング１０は、板ばねとして形成され、中央部に円弧状の部分をもつ突出部１０ａが形成され、肩部を介して斜めに広がる脚部１０ｂをもつ形状である。
【００２０】
図６（Ｄ）を参照して操作部材を説明する。操作部材９は、スライダー本体部材８の立ち上げられた両側部に蓋をするように内側に凹部９ｃが形成されており、凹部９ｃの両側面に合計４個の係合爪９ａが形成されている。また、凹部９ｃの側面にカム面９ｂが形成されている。係合爪９ａは、スライダー本体部材８の係合孔８ｂに係合する。図６に示したスライダースプリング１０を取り付けたスライダー本体部材８に、図７に示した操作部材９を被せると、係合爪９ａが係合孔８ｂに係合して一体化される。一体化された状態では、スライダースプリング１０がカム面９ｂに突き当たるが、図６（Ａ）に示すように、スライダースプリングの突出部１０ａの一部は、操作部材９の下方に位置され、ガイド部材の係止部２ａに係合できる。また、係合孔８ｂの長さは、係合爪９ａの幅より大きい。したがって、スライダー本体部材８と操作部材９とが一体化された状態で、操作部材９はスライダー本体部材８に対して前後方向への移動が可能である。
【００２１】
図７は、スライダー部材を底面から見た図であり、スライダー本体部材８と操作部材９が一体化された状態では、スライダースプリング１０のばね力により、図７（Ａ）に示すように、スライダースプリング１０の突出部１０ａがカム面９ｂのもっとも深い位置になるように、スライダー本体部材８に対して、操作部材９が位置される。この状態では、係合爪９ａは、係合孔８ｂのほぼ中央に位置される。また、スライダースプリング１０の突出部１０ａがガイド部材２の係止部２ａによって係止され、カッター刃を係止できる。
【００２２】
この状態から、操作部材９を前方に指で押すように操作すると、係合爪９ａが係合孔８ｂ内で移動できるので、操作部材９をスライダー本体部材８に対して移動でき、図７（Ｂ）に示すように、谷形状の凹部をなすカム面９ｂでスライダースプリング１０の突出部１０ａを後退させて、ガイド部材２の係止部２ａによる係止を解除させて、スライダー部材を前進でき、カッター刃を前方に移動できる。スライダー部材の操作部材９から指を離せば、図７（Ａ）の状態に戻り、カッター刃を係止できる。
【００２３】
操作部材９を後方に向けて指で後退させれば、同様に、図７（Ｃ）に示すように、カム面９ｂでスライダースプリング１０の突出部１０ａを後退させて、スライダー部材を後退でき、カッター刃を後方に移動できる。操作部材９から指を離せば、図７（Ａ）の状態に戻り、カッター刃を係止できる。
【００２４】
なお、上述した実施例では、係合孔をスライダー本体部材８に、そして、係合爪を操作部材９に設けたが、本発明はこれに限られるものではなく、係合爪をスライダー本体部材８に、そして、係合孔を操作部材９に設けてもよい。また、カートリッジやガイド部材を含め、カッターの構成に関しては、上述した実施の形態に限られるものではなく、ステップ的にカッター刃をロックできる他の構造のカッターナイフに対して、本発明のスライダー部材を適用して、本発明のカッターナイフを構成できるものである。
【００２５】
【発明の効果】
以上の説明から明らかなように、本発明によれば、部品点数が少なく、組立が容易なスライダー部材を用いたカッターナイフが構成でき、操作部材から指を離せば、カッター刃を係止できるという効果がある。
【図面の簡単な説明】
【図１】本発明のカッターナイフの第１の実施の形態の全体構成を示す斜視図である。
【図２】図１のカッターナイフのカートリッジを引き出してカッター刃を収容する状態の斜視図である。
【図３】図１のカッターナイフのカートリッジとスライダー部材の分解斜視図である。
【図４】図１のカッターナイフのカッター本体部の分解斜視図である。
【図５】図１のカッターナイフの各部を裏側からみた斜視図である。
【図６】スライダー部材を説明するためのもので、図６（Ａ）はスライダー部材の斜視図、図６（Ｂ）は、図６（Ａ）のＡ−Ａ線およびＢ−Ｂ線の断面図、図６（Ｃ）はスライダースプリングを取り付けたスライダー本体部材の斜視図、図６（Ｄ）は操作部材を底面側からみた斜視図である。
【図７】スライダー部材を底面から見た動作の説明図である。
【符号の説明】
１…ボディ部材、１ａ…刃上げスプリング固定溝、１ｂ…ビス孔、２…ガイド部材、２ａ…係止部、２ｂ…カートリッジ係合孔、２ｃ，２ｄ…カッター刃規制部、２ｅ…スプリング孔、２ｆ…ビス孔、２ｇ…止め具、３…カートリッジ、３ａ…把持部、３ｂ…フック部、３ｃ…凹部、３ｄ…窓孔、３ｅ…スプリング孔、３ｆ…スライド溝、３ｇ…スライド溝先端部、４…スライダー部材、５…カッター刃、５ａ…スライダー係合孔、６…可動台、６ａ…係合突起、７…刃上げスプリング、８…スライダー本体部材、８ａ…カッター刃係合突起、８ｂ…係合孔、９…操作部材、９ａ…係合爪、９ｂ…カム面、９ｃ…凹部、１０…スライダースプリング、１０ａ…突出部、１０ｂ…脚部、１１…ビス。
【図１】
0003812704.tif 000002
【図２】
0003812704.tif 000003
【図３】
0003812704.tif 000004
【図４】
0003812704.tif 000005
【図５】
0003812704.tif 000006
【図６】
0003812704.tif 000007
【図７】
0003812704.tif 000008